(57)【要約】【課題】  デジタルスチルカメラのレンズと基板との効率的配置により装置の小型化の実現が可能な撮像装置を提供する。【解決手段】  機器内で所定の機能を果たす基板、及び前記基板に電気的な信号のやり取りが可能に接続されるレンズを含むカメラユニットとを含み、前記レンズの光軸と垂直をなす仮想平面である基準平面と前記基板の平面とが所定の角度をなして形成される。【選択図】      図５
2005269636.tif 000002
【特許請求の範囲】
【請求項１】
機器内に設けられる基板と；
前記基板に電気的な信号のやり取りが可能に接続されるレンズを含むカメラユニットとを含み、
前記レンズの光軸と垂直をなす仮想平面である基準平面と前記基板の平面とは実質的に垂直をなして配置されることを特徴とする撮像装置。
【請求項２】
前記カメラユニットは、前記基板の一縁部に組み付けられることを特徴とする請求項１に記載の撮像装置。
【請求項３】
前記カメラユニットの一縁部が前記基板の一縁部と組み付けられることを特徴とする請求項２に記載の撮像装置。
【請求項４】
前記カメラユニットは、前記基板の下端に組み付けられることを特徴とする請求項１に記載の撮像装置。
【請求項５】
前記カメラユニットの一縁部が前記基板の下端に組み付けられることを特徴とする請求項４に記載の撮像装置。
【請求項６】
前記カメラユニットは静止画を撮影するデジタルスチルカメラユニットであることを特徴とする請求項１ないし５に記載の撮像装置。
【請求項７】
デジタルスチルカメラユニットと、デジタルビデオカメラユニットと、デッキユニットと、機器内で所定の機能を果たす複数の基板を含む撮像装置において、
前記デジタルスチルカメラユニットのレンズの光軸と垂直をなす仮想平面である基準平面と、前記複数の基板のうち前記デジタルスチルカメラユニットと電気的な信号のやり取りが可能に接続される少なくとも一つの基板の平面は実質的に垂直をなして配置されることを特徴とする撮像装置。
【発明の詳細な説明】
【技術分野】
【０００１】
本発明は、動画及び静止画を含む画像を撮影し記録及び再生可能な撮像装置に係る。
【背景技術】
【０００２】
一般に、デジタルスチルカメラ（ＤＳＣ）は、レンズを通して入射する画像をデジタル信号に変換し、ハードディスクまたはメモリカードのような記録媒体に書き込む。即ち、撮影した画像をフィルム等に記録せず前記記録媒体に書き込んでコンピューターにデジタル画像を入力することができる。かかるデジタルスチルカメラは、コンピューターとの互換性が高く、編集及び修正が簡便であり、また、撮った画像を外部のコンピューターに接続し伝送することができる。しかし、かかるデジタルスチルカメラは、画像を書き込む記録媒体の容量等の理由にて静止画を撮影するのに主に使用される。即ち、動画が撮影できる機能をもっているが小容量に止まり、長時間にわたる撮影は実質的に不可能である。特に、動画を撮影し再生する際、音響を一緒に記録し再生する装置を更に備えて初めて正常な動画を撮影することができるため、実質的に動画を撮影し、書き込み、再生するには適していない。従って、動画を撮影するためには、テープのような記録媒体に撮影する被写体の画像及び音響等を記録及び再生する記録／再生装置、例えば、カムコーダーが広く普及されている。
【０００３】
前記カムコーダーは、主にカセットテープを記録媒体として使用し、該カセットテープをデッキ装置に差し込み、撮影した動画を記録するようになる。また、カムコーダーには、マイク装置とスピーカ装置が組み付けられている。かかるカムコーダーも静止画を撮像する機能を有しているが、上述したデジタルスチルカメラの画質に比べて劣るため、主に、動画を撮影するのに使用される。そして、カムコーダーは、デジタルスチルカメラに比べて多くの機能をもち且つ複雑な構成をもっているため、一般に、相対的に大型であり高価である。
【０００４】
しかしながら、今までは上述したように、デジタルスチルカメラとカムコーダーのそれぞれの機能を活用するためには、これらの二つの製品を別体に買い上げる必要があった。従って、経済的な負担が多くかかり、また、二つの製品のいずれをも携帯しなければならないという煩わしさがある。従って、最近では、前記問題点を補うために、デジタルスチルカメラとカムコーダーの機能、即ち、静止画及び動画を撮影する装置が一つの製品に採用され、ユーザーが選択的に使用できる製品、例えば、デュアルカムが開発され、市販されている。
【０００５】
しかし、この種のデュアルカムの場合、二つの機能を一つの製品に適用するに伴い、製品が大型化し、構造が複雑化するという問題点が必然的に発生する。即ち、前記デュアルカムの場合、デジタルスチルカメラのレンズと動画の撮影のためのデジタルビデオカメラ（ＤＶＣ）のレンズを狭い空間に共に配する必要があり、特に、デジタルスチルカメラのレンズと、前記デジタルスチルカメラのレンズと相互信号のやり取りを行う基板との空間の活用によって装置のサイズが大きく左右される。既存では、前記デジタルスチルカメラのレンズと基板とは、水平に配置（詳述すれば、レンズの光軸と基板の平面とが垂直に配置）されるが、この場合、デュアルカムの体積が必然的に増大するという問題点が発生するため、前記デジタルスチルカメラのレンズと基板との配置構造に対し多くの関心が集まりつつある。
【発明の開示】
【発明が解決しようとする課題】
【０００６】
本発明は、前記のような問題点を解決するためになされたものであって、その目的は、デジタルスチルカメラのレンズと基板との効率的配置により装置の小型化の実現が可能な撮像装置を提供することである。
【課題を解決するための手段】
【０００７】
前記発明の目的を達成するために本発明は、機器内で所定の機能を果たす基板及び、前記基板に電気的な信号のやり取りが可能に接続されるレンズを含むカメラユニットとを含み、前記レンズの光軸と垂直をなす仮想平面である基準平面と前記基板の平面とは実質的に垂直をなして配置されることを特徴とする。
【０００８】
さらに、前記カメラユニットは、前記基板の一縁部に組み付けられることを特徴とし、前記カメラユニットは、前記基板の下端に配されることが好ましい。
【０００９】
さらに、前記カメラユニットの一縁部が前記基板と組み付けられることが好ましい。
【発明の効果】
【００１０】
以上で説明したように、本発明の実施例に係る撮像装置によれば、撮像装置内の空間を効率よく活用し、結果として装置の小型化の実現が可能である。
【発明を実施するための最良の形態】
【００１１】
以下、添付した図面に基づいて、本発明の実施例の構成及び作用について詳説する。
【００１２】
図１は、本発明の一実施例に係る撮像装置の全体の外観斜視図であり、図２は、図１の分解斜視図である。同図に示すように、撮像装置１０００は、デッキアセンブリ１００と、リアアセンブリ２００と、第１の外アセンブリ３００と、デッキカバーアセンブリ４００と、第２の外アセンブリ５００、上アセンブリ６００と、フロントアセンブリ７００とを備える。
【００１３】
デッキアセンブリ１００は、磁気テープに画像を含むデータを記録及び記録したデータを再生するためのデッキユニット１１０と、デッキユニット１１０を収容し保持するためのデッキハウジング１２０と、デッキユニット１１０に対応して設けられデッキユニット１２０と第１のカメラユニット１４０と相互信号のやり取りが可能に電気的に接続されるメイン基板１３０と、動画を取り込むためのデジタルビデオカメラ（ＤＶＣ）として一般のカムコーダー等に広く使用される第１のカメラユニット１４０を備える。
【００１４】
リアアセンブリ２００は、デッキハウジング１２０にネジ止めされ、リアケース体２１０と、リアケース体２１０の内側に組み付けられるリア基板２２０を備える。
【００１５】
第１の外アセンブリ３００は、デッキアセンブリ１００の一方、即ち、右側の一部を収容するように組み付けられ、成形物である第１の外ケース体３１０を備える。前記第１の外ケース体３１０には、被写体の焦点距離を調整するためのズームノブ（図示せず）と、スチル画像を撮影するためのフォトシャッタ（図示せず）と、動画の撮影と静止画の撮影等を選択するためのモード選択スイッチ（図示せず）及びレコーディングボタン（図示せず）等が設けられる。
【００１６】
デッキカバーアセンブリ４００は、成形物であるカバーケース体４１０と、カバーケース体４１０の内側に組み付けられる保持フレーム４２０を備える。
【００１７】
第２の外アセンブリ５００は、第２の外ケース体５１０と、第２の外アセンブリ５１０の外側に組み付けられる第１のディスプレイユニット５２０と、サブ基板５３０、及び第２のカメラユニット５４０を備える。
【００１８】
第２の外ケース体５１０は、デッキアセンブリ１００の左側、即ち、メイン基板１３０の側面を収容するためのものである。第２の外ケース体５１０は、プラスチック材質からなる成形物であって、外側にディスプレイ装着部（図示せず）を有する。前記装着部に第１のディスプレイユニット５２０が収容され装着される。また、第２の外ケース体５１０には、メニューの選択のための図示しないロールスイッチと、外部機器との接続のための図示しない複数の接続ポートと、図示しないスピーカユニット及び複数の機能キー等が設けられる。この他、各種の機能キーを第２の外ケース体５１０に設けることができる。
【００１９】
第１のディスプレイユニット５２０は、ＬＣＤパネルであり、第２の外ケース体５１０に２軸回転可能に設けられ、第１及び第２のカメラユニット１４０、５４０で撮影する画像または再生する画像がディスプレイされる。第１のディスプレイユニット５２０は、サブ基板５３０にケーブルを介して電気的に接続される。
【００２０】
サブ基板５３０は、第２の外ケース体５１０の内側に組み付けられる。このサブ基板５３０には、第１のディスプレイユニット５２０及び第２のカメラユニット５４０が電気的に接続される。また、第１の外アセンブリ５００をデッキアセンブリ１００に組み付ける時、サブ基板５３０は、メイン基板１３０に信号ケーブルを介して接続される。かかるサブ基板５３０は、メイン基板１３０と略並んで向かい合うように配される。そして、上述した図示しないロールスイッチ、接続ポート、スピーカユニット及び機能キー等は、サブ基板５３０に電気的に接続される。
【００２１】
第２のカメラユニット５４０は、主に静止画を撮影するのに使用されるデジタルスチルカメラ（ＤＳＣ）である。第２のカメラユニット５４０は、第１のカメラユニット１４０に比べて高画質の画像が撮影できるように一層高い画素数を有するＣＣＤ（Ｃｈａｒｇｅ−Ｃｏｕｐｌｅｄ  Ｄｅｖｉｃｅ）を備える。
【００２２】
上アセンブリ６００は、デッキアセンブリ１００の上部を収容するための上ケース体６１０と、上ケース体６１０の一端に組み付けられ第１及び第２のカメラユニット１４０、５４０を介して撮影または再生する画像をユーザーが容易に目視できるようにするビューファインダーユニット６２０と、上ケース体６１０に外部に突出して組み付けられるマイクユニット６３０、及びフラッシュユニット６４０が備えられる。ビューファインダー６２０と、マイクユニット６３０及びフラッシュユニット６４０は、サブ基板５３０に電気的に接続される。また、上ケース体６１０には、第２のカメラユニット５４０を使用するデジタルスチルカメラＤＳＣの機能を果たすための各種の機能キーモジュール（図示せず）が設けられ、この機能キーモジュールもサブ基板５３０に電気的に接続される。
【００２３】
フロントアセンブリ７００は、第１及び第２のカメラユニット１４０、５４０が配された機器の前方を収容するためのものであって、第１及び第２のカメラユニット１４０、５４０のそれぞれに対応して開放された第１及び第２のレンズフードを有するフロントケース体７１０と、フロントケース体７１０の内側に保持され、図示しないリモートセンサーと照光センサーを有するセンサーモジュール７２０を備える。
【００２４】
図３は、図２の第２の外アセンブリ５００における第２のカメラユニット５４０とサブ基板５３０の組立構造を示す図であり、図４は、図３を他の側面から見た斜視図であり、図５は、第２のカメラユニット５４０とサブ基板５３０の配置構造を示す図である。同図に示すように、第２のカメラユニット５４０とサブ基板５３０とは、相互信号のやり取りが可能に接続し組み付けられている。
【００２５】
第２のカメラユニット５４０は、一般のデジタルスチルカメラのレンズモジュールと同様に内部にレンズ１３、ＣＣＤ（図示せず）を備えるケース体１２と、モーター１４と、ＣＣＤ及びモーターの信号ケーブル１６、１８とからなるレンズモジュール１０と、ケース体１２の外径を取り囲むホルダー３０及びホルダー３０にねじ止めされるブラケット５０とを含む。図示したように、第２のカメラユニット５４０は、ブラケット５０を介してサブ基板５３０に組み付けられる。
【００２６】
そして、レンズモジュール１０のモーター１４の後面には、モーター及びＣＣＤの電気信号をサブ基板５３０に接続される信号ケーブル１６、１８が装着され、モーター信号ケーブル１６は、サブ基板５３０の前面に設けられたコネクタ５３２に接続され、ＣＣＤ信号ケーブル１８は、サブ基板５３０の裏面に設けられたコネクタ５３４に接続されることにより、それぞれサブ基板５３０と信号のやり取りが可能になる。そして、サブ基板５３０は、前述したように、メイン基板１３０上に設けられたコネクタとは別の信号ケーブルを介して接続され、メイン基板１３０と電気的信号のやり取りが可能になる。
【００２７】
図５に示すように、レンズモジュール１０のレンズ１３の中心に形成される光軸９０に垂直な仮想の基準平面７０（Ｙ−Ｚ平面）と、基板の平面８０（Ｚ−Ｘ平面）とは、所定の角度（θ）をなして形成される。第２のカメラユニット５４０の裏面、即ち、レンズモジュール１０の裏面が属する平面は、レンズ１３の中心に形成される光軸９０に垂直な構造であるため、これを基準平面７０にする。基準平面７０と基板の平面８０とがなす角度θは、実質的に垂直に近接して形成されることがよい。その理由は、上述したように、本実施例の撮像装置のデュアルカムでは、静止画のみならず、動画を撮影して書き込み、再生するためには、デッキアセンブリ１００（図１参照）が必要とされ、デッキアセンブリ１００は、カメラユニット５４０とサブ基板５３０が形成する空間上に配されることから、撮像装置の小型化を実現することができるためである。即ち、既存におけるデジタルスチルカメラのレンズの光軸に垂直な平面と、前記デジタルスチルカメラのレンズと信号のやり取りが可能な基板の平面は、平行構造で配される構造では撮像装置の体積を軽減するに限りがあったが、本発明のカメラユニット５４０とサブ基板５３０の配置構造を前記のようにすることにより、撮像装置の小型化が可能になる。
【００２８】
カメラユニット５４０とサブ基板５３０との間の空間をより効率よく活用するために、第２のカメラユニット５４０の一方は、図２乃至図４に示すように、サブ基板５３０の一縁部に配され組み付けられる。また、第２の外アセンブリ５００とデッキアセンブリ１００とが相互組み立てられる時、第２のカメラユニット５４０は、第１のカメラユニット１４０の下方に配されるようにサブ基板５３０の下端側に組み付けられる。これは、図１に示すように、第２のカメラユニット５４０は、第１のカメラユニット１４０の下部に設けられるためである。このように、第２のカメラユニット５４０の一縁部がサブ基板５３０の下端及び一側部に組み付けられることにより、その間に生じる空間上にデッキアセンブリ１００が位置する。従って、本実施例に係る撮像装置の小型化が可能であるという効果を奏する。
【００２９】
本実施例では、前記カメラユニットとサブ基板との配置構造を説明したが、必ずしもこれに限定されるものではなく、撮像装置の複数の基板のうちの前記カメラユニットと信号をやり取りするいずれかの基板との配置構造であればよい。
【００３０】
以上、本発明の好適な実施例について図示し説明したが、本発明の属する技術分野において通常の知識を有する者であれば、特許請求の範囲の思想及び範疇を逸脱することなく本発明に対する種々の変更及び修正が可能であることが理解できるはずである。従って、かかる適切な変更及び修正と均等物も本発明の範囲に属するものと見なされるべきである。
【図面の簡単な説明】
【００３１】
【図１】本発明の一実施例に係る撮像装置の全体の外観斜視図である。
【図２】図１の分解斜視図である。
【図３】図２の第２の外アセンブリにおいて第２の外ケース体を除くサブ基板と第２のカメラユニットアセンブリの斜視図である。
【図４】図３を他の側面から見た斜視図である。
【図５】サブ基板と第２のカメラユニットとの配置関係を示す図である。
【符号の説明】
【００３２】
１０    レンズモジュール
１２    ケース体
１３    レンズ
１４    モーター
７０    基準平面
８０    基板の平面
５３０  サブ基板
５４０  第２のカメラユニット
【図１】
2005269636.tif 000003
【図２】
2005269636.tif 000004
【図３】
2005269636.tif 000005
【図４】
2005269636.tif 000006
【図５】
2005269636.tif 000007